(57)【特許請求の範囲】
【請求項１】
回線からの呼出信号の検出を含む所定の網制御動作を行うＮＣＵを半導体ＮＣＵにより構成し、前記回線からの着呼に伴う呼出信号を検出すると、当該着呼に応答して前記回線を介して相手先装置との間で通信を行う通信端末装置において、
前記半導体ＮＣＵとは別個に省電力状態において前記回線からの呼出信号を検出する省電力状態時呼出信号検出手段と、
装置各部に電力が供給されて通信端末装置本来の動作を行う通常動作状態において所定の省電力状態移行要因が発生すると、少なくとも前記半導体ＮＣＵへの電力供給を停止して前記省電力状態に移行し、前記省電力状態において、前記省電力状態時呼出信号検出手段により前記呼出信号が検出されると前記半導体ＮＣＵへの電力供給を再開して前記通常動作状態に復帰する省電力制御手段とを備え、
更に、前記省電力状態においては前記回線からの呼出信号を前記省電力状態時呼出信号検出手段に接続し、前記通常動作状態においては前記回線からの呼出信号を前記半導体ＮＣＵに接続する呼出信号切換手段を備えたことを特徴とする通信端末装置。
【請求項２】
前記呼出信号切換手段は、周期的に断続する前記呼出信号が断の期間に前記呼出信号を切り換えるものであることを特徴とする請求項１に記載の通信端末装置。
【発明の詳細な説明】
【０００１】
【発明の属する技術分野】
本発明は、ファクシミリ装置等の通信端末装置に関し、特に、回線からの呼出信号の検出を含む所定の網制御動作を行うＮＣＵを半導体ＮＣＵにより構成し、前記回線からの着呼に伴う呼出信号を検出すると、当該着呼に応答して前記回線を介して相手先装置との間で通信を行う通信端末装置に関する。
【０００２】
【従来の技術】
通信端末装置、例えば、ファクシミリ装置においては、原稿の読取・送信、または画像データの受信・記録を行っていない間は、送信が受信が開始されるまで、ファクシミリ装置本来の動作を行わずに電力を消費している待機状態にある。しかし、その待機状態においても、回線からの呼出信号の検出や回線の閉結・解放等の網制御を行うＮＣＵ（Network Control Unit）、そのＮＣＵを介して回線に送信する信号の変調、回線から受信する信号の復調を行うモデム等の装置各部には電源が供給されて動作しており電力を消費してしまう。
【０００３】
そのため、例えば、特開平９−３６９９７号公報に記載の技術に見られるように、省電力状態においては副電源のみを動作させて、呼出信号が検出されると省電力状態から復帰するようにすることにより、着呼待ち状態での電力消費の低減を図るようにしたものもある。
【０００４】
呼出信号を復帰要因として省電力状態から復帰できるようにするためには、呼出信号検出用の回路に省電力状態においても電力を供給して動作可能な状態にしておく必要があるが、呼出信号検出用の回路自体はそれほど電力を消費しない。
【０００５】
【発明が解決しようとする課題】
しかし、従来トランスやリレー等の個別部品により構成されていたＮＣＵは、近年の技術の向上により半導体回路により一体的にに構成される、いわゆる半導体ＮＣＵとして構成されるようになってきている。
【０００６】
その半導体ＮＣＵには、呼出信号検出用の回路も当然含まれるが、その呼出信号検出用の回路は、その他のＮＣＵとして必要な回路と共に一体的に構成されているため、半導体ＮＣＵを構成する各回路について個別に電力供給のＯＮ／ＯＦＦをすることはできない。
【０００７】
そのため、ＮＣＵを半導体ＮＣＵにより構成した通信端末装置において、省電力状態時に呼出信号検出用の回路を動作させようとすると、省電力状態時には動作する必要のない、半導体ＮＣＵを構成するその他の回路にも電力が供給され続けてしまい、その分電力消費が多くなり、省電力の効果が十分ではないという問題点があった。
【０００８】
本発明は係る事情に鑑みてなされたものであり、ＮＣＵを半導体ＮＣＵにより構成した場合でも、効果的な省電力動作を実現することができる通信端末装置を提供することを目的とする。
【０００９】
【課題を解決するための手段】
請求項１に記載の通信端末装置は、回線からの呼出信号の検出を含む所定の網制御動作を行うＮＣＵを半導体ＮＣＵにより構成し、前記回線からの着呼に伴う呼出信号を検出すると、当該着呼に応答して前記回線を介して相手先装置との間で通信を行う通信端末装置において、前記半導体ＮＣＵとは別個に省電力状態において前記回線からの呼出信号を検出する省電力状態時呼出信号検出手段と、装置各部に電力が供給されて通信端末装置本来の動作を行う通常動作状態において所定の省電力状態移行要因が発生すると、少なくとも前記半導体ＮＣＵへの電力供給を停止して前記省電力状態に移行し、前記省電力状態において、前記省電力状態時呼出信号検出手段により前記呼出信号が検出されると前記半導体ＮＣＵへの電力供給を再開して前記通常動作状態に復帰する省電力制御手段とを備え、更に、前記省電力状態においては前記回線からの呼出信号を前記省電力状態時呼出信号検出手段に接続し、前記通常動作状態においては前記回線からの呼出信号を前記半導体ＮＣＵに接続する呼出信号切換手段を備えたことを特徴とする。
【００１０】
請求項２に記載の通信端末装置は、請求項１に記載の通信端末装置において、前記呼出信号切換手段は、周期的に断続する前記呼出信号が断の期間に前記呼出信号を切り換えるものであることを特徴とする。
【００１２】
【発明の実施の形態】
以下、添付図面を参照しながら、本発明の実施の形態を詳細に説明する。
【００１３】
先ず、図１は、本発明の実施の形態に係る通信端末装置としてのファクシミリ装置１のブロック構成を示している。
【００１４】
同図に示すファクシミリ装置１においては、回線との間の網制御に不可欠なＮＣＵを、１次側の回線制御部９、２次側のシリアルＩ／Ｆ部１０及びデータ受け渡し回路１１により構成され、シリコンＤＡＡとも称される半導体ＮＣＵ８により構成している。
【００１５】
近年、半導体技術の向上によりＮＣＵが、半導体ＮＣＵとして半導体により一体に構成されるようになってきている。半導体ＮＣＵは、極給電によって動作する、１次側に配置された回線制御部９と、２次側に配置されたシリアルＩ／Ｆ部１０とでデータ受け渡し回路１１を介してデータの送受信を行うことで回線制御、及び、信号の送受信が可能である。
【００１６】
半導体ＮＣＵは、従来のフォトカプラ、リレー等を組み合わせて構成するものと比べて省スペース、低コスト化が可能となる利点がある反面、ファクシミリ装置１が省電力モードを備える場合に問題が生じる。
【００１７】
つまり、省電力モードは、省電力モード制御部３にのみ電源を供給し、他の回路には電源を供給せず、復帰要因によって電源供給を行う構成であるため、半導体ＮＣＵ８を使用した場合、従来の省電力モード制御部３による信号監視にて呼出信号を認識し省電力モード゛からの復帰を行っていた場合と比べ、シリアルＩ／Ｆ部１０を省電力モードでもＯＮしておく必要があるため電力が増加してしまう。
【００１８】
そこで本実施の形態では、ファクシミリ装置１は以下のように構成する。
【００１９】
すなわち、回線との間の送受信信号は、回線電流を整流するダイオードブリッジＤＢを介して半導体ＮＣＵ８の１次側回線制御部９に接続される。１次側回線制御部９は、加入者交換機からの局給電により動作し、２次側シリアルＩ／Ｆ部１０とはリニアフォトカプラ等の絶縁回路により構成されるデータ受け渡し回路１１を介して、２次側シリアルＩ／Ｆ部１０と接続される。
【００２０】
その２次側シリアルインターフェース部１０は、ＭＯＤＥＭ（モデム）４やシステム制御部２等と同様に、省電力モード（省電力状態）ではない通常動作状態においては、メイン電源６からの供給される電力により動作し、省電力モード時には、メイン電源６からの電力供給が停止される。
【００２１】
１次側回線制御部９には送受信信号の他に、回線からの呼出信号が呼出信号切換回路１２を介して入力され、その呼出信号は、データ受け渡し回路１１を介して、２次側シリアルＩ／Ｆ部１０に入力され、２次側シリアルＩ／Ｆ部１０からシステム制御部２に対して呼出信号の検出状態が入力され、システム制御部２は、呼出信号の有無検出する。また、システム制御部２からの回線閉結信号は、２次側シリアルＩ／Ｆ部１０に入力され、データ受け渡し回路１１を介して１次側回線制御部９に回線閉結が指示され、１次側回線制御部９は回線の閉結または開放を行う。
【００２２】
１次側回線制御部９からの送受信信号は、データ受け渡し回路１１を介して、２次側シリアルＩ／Ｆ部１０に入力され、２次側シリアルＩ／Ｆ部１０はＭＯＤＥＭ４からの送信信号及び受信信号の中継を行う。
【００２３】
ＭＯＤＥＭ４は送信信号の変調及び受信信号の復調を行う。システム制御部２は、通常動作状態において装置各部を制御してファクシミリ送信や受信の制御を行うマイクロコンピュータである。省電力モード制御部３は、システム制御部２とは別個に動作するマイクロコンピュータで、省エネモードから通常動作状態への復帰や、通常動作状態から省エネモードへの移行をシステム制御部２と協働して制御するマイクロコンピュータである。
【００２４】
省電力モード制御部３は、当然省電力モード時にも電力が供給されて動作する。その電力は、図示しない商用交流電源から供給される電力を所定の電圧に整流・安定化するサブ電源５から供給される。サブ電源５は、主電源スイッチＳＷ１がＯＮされると省電力モード制御部３への電力供給を開始して、省電力モード制御部３が動作を開始する。
【００２５】
メイン電源６は、図示しない商用交流電源から供給される電力を所定の電圧に整流・安定化して、システム制御部２、ＭＯＤＥＭ４、半導体ＮＣＵの他、図示を省略した操作表示部、スキャナ、プロッタ等の装置各部に対して動作に必要な電力を供給するものであるが、その電力供給のＯＮ／ＯＦＦは、省電力モード制御部３により制御される。
【００２６】
省電力モード制御部３には、呼出信号切換回路１２を介して回線からの呼出信号が入力される。ただし、その間には、コンデンサＣ及び抵抗Ｒを介してフォトカプラによる絶縁回路により構成された呼出信号伝送手段７が介在し、２値化された信号が直接入力され、省電力モード制御部３は、呼出信号の監視を行う。
【００２７】
ただし、回線からの呼出信号が省電力モード制御部３に入力されるのと並列に、半導体ＮＣＵの１次側回線制御部９にも入力されるとすると、省電力モード中に、回線からの呼出信号が半導体ＮＣＵ８と呼出信号伝送手段７の両方に入力されてしまうことになる。
【００２８】
ファクシミリ装置１においては、後述するように、省電力モード時において、省電力モード゛制御部３により呼出信号を認識して通常動作状態に復帰してから２次側シリアルＩ／Ｆ部１０の電源をＯＮするが、１次側の回線制御部９は、回線からの呼出信号の入力によってシリアルデータを送信することになる。
【００２９】
そのため、２次側シリアルＩ／Ｆ部１０への電源供給が開始される前に呼出信号が入力されてしまう等の不具合が発生する。
【００３０】
その不具合の発生を未然に防止するために、呼出信号切換回路１２を設けている。呼出信号切換回路１２は、システム制御部２からの呼出信号入力切換信号により、回線からの呼出信号を半導体ＮＣＵ８または省電力モード制御部３のいずれかに選択的に接続する。
【００３１】
具体的には、呼出信号入力切換信号がＨレベルの時には、回線からの呼出信号を半導体ＮＣＵ８に接続し、呼出信号入力切換信号がＬレベルの時には、回線からの呼出信号を省電力モード制御部３の側に接続する。システム制御部２に電力が供給される通常動作状態時には、システム制御部２が、呼出信号入力切換信号をＨレベルまたはＬレベルに能動的に切り換えるが、システム制御部２に電力が供給されない省電力モード時には、システム制御部２に電力が供給されないことにより、呼出信号入力切換信号が受動的にＬレベルとなる。つまり、省電力モード時には回線からの呼出信号は、省電力モード制御部３側に接続される。
【００３２】
呼出信号切換回路１２は、リレーや、フォトＭＯＳＩＣ等により構成でき、省電力モード時に電力が消費されないように、省電力モード時においてＬレベルのときに、省電力モード制御部３側に接続されるようにする。それにより、省電力モードから通常動作状態に復帰してから半導体ＮＣＵの１次側の回線制御部９に呼出信号が入力されるようになり、半導体ＮＣＵ８の破損や誤動作といった不具合を解消できる。
【００３３】
次に、以上の構成のファクシミリ装置１における、省電力モード制御部３とシステム制御部２との協働による省電力制御手順について説明する。
【００３４】
先ず、省電力モード制御部３側における処理手順について、図２を参照して説明する。
【００３５】
同図において、省電力モード制御部３は、主電源スイッチＳＷ１がＯＮされてサブ電源５からの電力供給が開始されると動作を開始し、電源スイッチＳＷ２がＯＮされるか、または呼出信号が検出さるかを監視する（判断１０１のＮｏ、判断１０２のＮｏのループ）。
【００３６】
電源スイッチＳＷ２がＯＮされると（判断１０１のＹｅｓ）、メイン電源６をＯＮする（処理１０３）。すなわち、メイン電源６からの装置各部への電力供給を開始させて通常動作状態に復帰する。処理１０３により、システム制御部２への電力供給が開始されてシステム制御部２は動作を開始することになるため、その動作を開始したシステム制御部２に対して、復帰要因「電源ＳＷ＿ＯＮ」を通知する（処理１０４）。
【００３７】
一方、判断１０２において呼出信号が検出された場合には（判断１０２のＹｅｓ）、メイン電源６をＯＮする（処理１０５）。すなわち、メイン電源６からの装置各部への電力供給を開始させて通常動作状態に復帰する。処理１０５により、システム制御部２への電力供給が開始されてシステム制御部２は動作を開始することになるため、その動作を開始したシステム制御部２に対して、復帰要因「着呼」を通知する（処理１０６）。また、呼出信号カデンスをシステム制御部２に対して出力する（処理１０７）。回線からの呼出信号は、約４００Ｈｚの信号が約１６Ｈｚの周期で断続される信号であるが、呼出信号カデンスは、その約１６Ｈｚの周期での断続信号であり、呼出信号伝送手段７から入力される２値のＯＮ／ＯＦＦ信号である。
【００３８】
処理１０４または処理１０７の後は、システム制御部２からの省電力モードへの移行指示があるかを監視し（判断１０８のＮｏのループ）、省電力モードへの移行指示があると（判断１０８のＹｅｓ）、メイン電源６をＯＦＦする（処理１０９）。すなわち、メイン電源６からの装置各部への電力供給を停止して省電力モードに移行する。処理１０９の後は、判断１０１に戻る。
【００３９】
一方、省電力モード制御部３における処理１０３または処理１０５に対応して動作を開始したシステム制御部２は、先ず、処理１０４または処理１０６により通知される復帰要因を判断する（判断２１）。
【００４０】
そして、復帰要因が、処理１０４に対応する「電源ＳＷ＿ＯＮ」である場合には、呼出信号入力切換信号を「Ｈ」レベルにして、呼出信号切換回路１２に回線からの呼出信号を半導体ＮＣＵ側に接続させた上で、着呼に応答してファクシミリ受信を行ったり、ファクシミリ送信処理を行ったりするファクシミリ装置としての動作を行うシステム制御処理を実行しつつ（処理２０４）、省電力モード移行要因が発生したかを監視する（判断２０５のＮｏのループ）。
【００４１】
省電力モード移行要因としては、具体的には、図示せず操作部からの操作入力がない状態が一定時間継続した場合、または、強制的に省電力モードに移行させるためのキーが押下された場合等であるが、省電力モード移行要因の種類により本発明は限定されるものではない。
【００４２】
判断２０５において、省電力モード移行要因が発生すると（判断２０５のＹｅｓ）、省電力モード制御部３に対して、判断１０８に対応する省電力モード移行の指示を行う（処理２０６）。
【００４３】
処理２０６により、判断１０８はＹｅｓとなって処理１０９が実行さてメイン電源６はＯＦＦされシステム制御部２は、ＭＯＤＥＭ４や半導体ＮＣＵと共に動作を停止し、また、呼出信号入力切換信号もＬレベルとなって呼出信号切換回路１２は、回線からの呼出信号を省電力モード制御部３の側に切り換える。
【００４４】
判断２０１において、復帰要因が処理１０６に対応した「着呼」である場合には、処理１０７により省電力モード制御部３から出力される呼出信号カデンスがＯＦＦになるのを待ち（判断２０２のＮｏのループ）、ＯＦＦになってから（判断２０２のＹｅｓ）、処理２０３に移行する。
【００４５】
これにより、呼出信号のカデンスがＯＮの期間で呼出信号か高電圧の状態にある時に呼出信号切換回路により、回線からの呼出信号が省電力モード制御部３から半導体ＮＣＵ８へ切り替わってしまうことがなく、切換時の過電流等が半導体ＮＣＵ８に印加されることがなく、半導体ＮＣＵ８の回路の保護を図ることができる。
【００４６】
このように以上説明した実施の形態によれば、省電力モード時に呼出信号の検出のためだけに半導体ＮＣＵ８へ電力供給をする必要がなくなり、効率的な省電力動作が可能となる。
【００４７】
なお、以上説明した実施の形態においては、本発明を通信端末装置の１つであるファクシミリ装置に適用したが、本発明はそれに限らず、ＮＣＵとして半導体ＮＣＵを適用した通信端末装置であればね同様に適用可能なものである。
【００４８】
また、以上説明した実施の形態においては、省電力制御を、通常動作状態における装置動作を制御するシステム制御部２と、省電力モードにおける制御を行う省電力モード制御部３との協働により行う場合に本発明を適用したが、本発明はそれに限らず、単一の制御部により通常動作状態における装置動作の制御及び省電力モードにおける制御を行う場合に対しても同様に適用可能なものである。
【００４９】
【発明の効果】
請求項１に係る発明によれば、前記半導体ＮＣＵとは別個に省電力状態時呼出信号検出手段を備え、前記省電力状態時における呼出信号の検出は前記省電力状態時呼出信号検出手段により行うようにして、前記省電力状態時には前記半導体ＮＣＵへの電力供給を停止することができるため、ＮＣＵを半導体ＮＣＵにより構成した場合でも、効果的な省電力動作を実現することが可能となるばかりでなく、前記半導体ＮＣＵには、前記回線からの呼出信号が、電力が供給されて動作している前記通常動作状態においてのみ入力されるため、電力が供給さていない状態で前記半導体ＮＣＵに呼出信号が入力されることがなく、誤動作等を防止することが可能となる効果が得られる。
【００５０】
請求項２に係る発明によれば、前記回線からの呼出信号の前記省電力状態時呼出信号検出手段から前記半導体ＮＣＵへの切り換えが、前記呼出信号が断のタイミングで行われるため、切り換え時に前記半導体ＮＣＵに過電圧がかかることがなく、半導体回路の破損を未然に防止することが可能となる効果が得られる。
【図面の簡単な説明】
【図１】本発明の実施の形態に係る通信端末装置としてのファクシミリ装置のブロック構成を示す図である。
【図２】本発明の実施の形態に係るファクシミリ装置の省電力モード制御部における処理手順について示すフローチャートである。
【図３】本発明の実施の形態に係るファクシミリ装置のシステム制御部における処理手順について示すフローチャートである。
【符号の説明】
１  ファクシミリ装置
２  システム制御部
３  省電力モード制御部
４  ＭＯＤＥＭ
５  サブ電源
６  メイン電源
７  呼出信号伝送手段
８  半導体ＮＣＵ
９  １次側回線制御部
１０  ２次側シリアルＩ／Ｆ部
１１  データ受け渡し回路
１２  呼出信号切換回路
Ｃ  コンデンサ
Ｒ  抵抗
ＤＢ  ダイオードブリッジ
ＳＷ１  主電源スイッチ
ＳＷ２  電源スイッチ
【図１】
0003945614.tif 000002
【図２】
0003945614.tif 000003
【図３】
0003945614.tif 000004